(57)【要約】      （修正有）【課題】充電ボックスに接続されるときに、内部の大部分の素子が休眠状態に入るようにさせ、充電ボックスから取り出すときに、電源を自動的にオンにすることができる無線ヘッドセットを提供する。【解決手段】無線ヘッドセット１１０は、第一ピンＮ１、マイクロプロセッサ１１２及び電源管理ユニット１１４を含む。第一ピンＮ１は、外部充電装置１２０に接続するために用いられる。マイクロプロセッサ１１２は、コア回路１５４及び第一ピンＮ１に結合されるウェイクアップ回路１５２を含む。電源管理ユニット１１４は、ウェイクアップ回路１５２に対して給電を行うための無停電回路１６２を含む。【選択図】図１
2020092397.tif 000002
【特許請求の範囲】
【請求項１】
無線ヘッドセットであって、
外部充電装置に接続するための第一ピン；
コア回路及びウェイクアップ回路を含むマイクロプロセッサであって、前記ウェイクアップ回路は前記第一ピンに結合されるマイクロプロセッサ；及び
無停電回路を含む電源管理ユニットであって、前記無停電回路は前記ウェイクアップ回路に対して給電を行うために用いられる電源管理ユニットを含み、
前記コア回路が休眠状態にあるときに、前記ウェイクアップ回路は、前記第一ピンの電圧レベルに変化があったと検出した場合、ウェイクアップ信号を生成して前記コア回路をウェイクアップする、無線ヘッドセット。
【請求項２】
請求項1に記載の無線ヘッドセットであって、
前記第一ピンは、前記外部充電装置から充電電圧を受け、前記無線ヘッドセットの内部の電池に対して充電を行うために用いられる、無線ヘッドセット。
【請求項３】
請求項2に記載の無線ヘッドセットであって、
前記無線ヘッドセットが前記外部充電装置に接続され、且つ充電操作が完了した後に、前記コア回路は、休眠状態に入り、前記ウェイクアップ回路は、前記無停電回路により給電されてワーキングを維持し、
無線ヘッドセットが前記外部充電装置から分離され、且つ前記ウェイクアップ回路により、前記第一ピンの電圧レベルが前記充電電圧からもう１つの電圧レベルに下がったと検出した場合、前記ウェイクアップ回路は、前記ウェイクアップ信号を生成して前記コア回路をウェイクアップする、無線ヘッドセット。
【請求項４】
請求項3に記載の無線ヘッドセットであって、
前記無線ヘッドセットが前記外部充電装置に接続され、且つ充電操作が完了した後に、前記コア回路及び前記電源管理ユニットの他の回路は、前記休眠状態に入り、
前記無線ヘッドセットが前記外部充電装置から分離され、且つ前記ウェイクアップ回路により、前記第一ピンの電圧レベルが前記充電電圧から前記もう１つの電圧レベルに下がったと検出した場合、前記ウェイクアップ回路は、前記ウェイクアップ信号を生成して前記コア回路及び前記電源管理ユニットの前記他の回路をウェイクアップする、無線ヘッドセット。
【請求項５】
請求項1に記載の無線ヘッドセットであって、
前記第一ピンは、前記外部充電装置から参照電圧を受けるために用いられる、無線ヘッドセット。
【請求項６】
請求項5に記載の無線ヘッドセットであって、
前記無線ヘッドセットが前記外部充電装置に接続されるときに、前記コア回路は、休眠状態に入り、前記ウェイクアップ回路は、前記無停電回路により給電されてワーキングを維持し、
前記無線ヘッドセットが前記外部充電装置から分離され、且つ前記ウェイクアップ回路により、前記第一ピンの電圧レベルが前記参照電圧からもう１つの電圧レベルに下がった又は上がったと検出した場合、前記ウェイクアップ回路は、前記ウェイクアップ信号を生成して前記コア回路をウェイクアップする、無線ヘッドセット。
【請求項７】
請求項6に記載の無線ヘッドセットであって、
前記無線ヘッドセットが前記外部充電装置に接続されるときに、前記コア回路及び前記電源管理ユニットの他の回路は、前記休眠状態に入り、
前記無線ヘッドセットが前記外部充電装置から分離され、且つ前記ウェイクアップ回路により、前記第一ピンの電圧レベルが前記参照電圧から前記もう１つの電圧レベルに下がった又は上がったと検出した場合、前記ウェイクアップ回路は、前記ウェイクアップ信号を生成して前記コア回路及び前記電源管理ユニットの前記他の回路をウェイクアップする、無線ヘッドセット。
【請求項８】
無線ヘッドセットと充電ボックスのアセンブリであって、
充電ボックス及び無線ヘッドセットを含み、
前記充電ボックスは、
参照電圧に接続するための参照電圧ピン；
充電電圧ピン；及び
充電電圧を前記充電電圧ピンに提供するための制御回路
を含み、
前記無線ヘッドセットは、
前記参照電圧ピンに接続される第一ピン；
前記充電電圧ピンに接続され、前記充電ボックスから前記充電電圧を受け、前記無線ヘッドセットの内部の電池に対して充電を行うための第二ピン；
コア回路及びウェイクアップ回路を含むマイクロプロセッサであって、前記ウェイクアップ回路は前記第一ピンに結合されマイクロプロセッサ；及び
無停電回路を含む電源管理ユニットであって、前記無停電回路は、前記ウェイクアップ回路に対して給電を行うために用いられる電源管理ユニット
を含み、
前記コア回路が休眠状態にあるときに、前記ウェイクアップ回路は、前記第一ピンの電圧レベルに変化があったと検出した場合、前記ウェイクアップ回路は、ウェイクアップ信号を生成して前記コア回路をウェイクアップする、無線ヘッドセットと充電ボックスのアセンブリ。
【請求項９】
請求項8に記載の無線ヘッドセットと充電ボックスのアセンブリであって、
前記無線ヘッドセットが前記充電ボックスに接続され、且つ充電操作が完了した後に、前記コア回路は、休眠状態に入り、前記ウェイクアップ回路は、前記無停電回路により給電されてワーキングを維持し、
前記無線ヘッドセットが前記充電ボックスから分離され、且つ前記ウェイクアップ回路により、前記第一ピンの電圧レベルが前記参照電圧からもう１つの電圧レベルに下がった又は上がったと検出した場合、前記ウェイクアップ回路は、前記ウェイクアップ信号を生成して前記コア回路をウェイクアップする、無線ヘッドセットと充電ボックスのアセンブリ。
【請求項１０】
請求項9に記載の無線ヘッドセットと充電ボックスのアセンブリであって、
前記無線ヘッドセットが前記外部充電装置に接続され、且つ充電が完了したときに、前記制御回路は、前記充電電圧の、前記充電電圧ピンへの提供を停止する、無線ヘッドセットと充電ボックスのアセンブリ。
【発明の詳細な説明】
【技術分野】
【０００１】
本発明は、無線ヘッドセット（wireless  headset）に関する。
【背景技術】
【０００２】
従来の無線ヘッドセットでは、使用者が無線ヘッドセットの電源をオンにするための電源スイッチが設置される。しかし、使用者が無線ヘッドセットを利用する度に、例えば、無線ヘッドセットを充電ボックスから取り出すときに、電源スイッチを押してから無線ヘッドセットを使用する必要があるので、使用者に不便をもたらすことがある。
【発明の概要】
【発明が解決しようとする課題】
【０００３】
よって、本発明は、無線ヘッドセットを開示し、それは、充電ボックスに接続されるときに、内部の大部分の素子が休眠状態に入るようにさせ、また、使用者が無線ヘッドセットを充電ボックスから取り出すときに、電源を自動的にオンにすることができるため、使用者に便利である。
【課題を解決するための手段】
【０００４】
本発明の一実施例では、無線ヘッドセットが開示され、それは、第一ピン、マイクロプロセッサ、及び電源管理ユニットを含み、前記第一ピンは、外部充電装置に接続するために用いられ、前記マイクロプロセッサは、コア回路と、前記第一ピンに結合されるウェイクアップ回路とを含み、前記電源管理ユニットは、前記ウェイクアップ回路に対して給電を行うための無停電回路を含む。前記無線ヘッドセットの操作中では、前記コア回路が休眠状態にあるときに、前記ウェイクアップ回路により、前記第一ピンの電圧レベルに変化があると検出された場合、前記ウェイクアップ回路は、ウェイクアップ信号を生成して前記コア回路をウェイクアップする。
【０００５】
本発明の他の実施例では、無線ヘッドセットと充電ボックスのアセンブリが開示され、それは、充電ボックス及び無線ヘッドセットを含む。前記充電ボックスは、参照電圧ピン、充電電圧ピン、及び制御回路を含み、前記参照電圧ピンは、参照電圧に接続するために用いられ、前記制御回路は、前記充電電圧ピンに充電電圧を提供するために用いられる。前記無線ヘッドセットは、第一ピン、第二ピン、マイクロプロセッサ、及び電源管理ユニットを含み、前記第一ピンは、前記参照電圧ピンに接続され、前記第二ピンは、前記充電電圧ピンに接続され、前記充電ボックスから前記充電電圧を受け、前記無線ヘッドセットの内部の電池に対して充電を行うために用いられ、前記マイクロプロセッサは、コア回路及びウェイクアップ回路を含み、前記ウェイクアップ回路は、前記第一ピンに結合され、前記電源管理ユニットは、無停電回路を含み、前記無停電回路は、前記ウェイクアップ回路に対して給電を行うために用いられる。前記無線ヘッドセットの操作中では、前記コア回路が休眠状態にあるときに、前記ウェイクアップ回路により、前記第一ピンの電圧レベルに変化があると検出された場合、前記ウェイクアップ回路は、ウェイクアップ信号を生成して前記コア回路をウェイクアップする。
【図面の簡単な説明】
【０００６】
【図１】本発明の第一実施例における電子装置のブロック図である。
【図２】図1に示す無線ヘッドセット及び充電ボックスの操作を示す図である。
【図３】本発明の第二実施例における電子装置のブロック図である。
【図４】図3に示す無線ヘッドセット及び充電ボックスの操作を示す図である。
【発明を実施するための形態】
【０００７】
以下、添付した図面を参照しながら、本発明を実施するための好適な形態を詳細に説明する。なお、このような実施形態は、例示に過ぎず、本発明を限定するものでない。
【０００８】
図1は、本発明の一実施例における電子装置のブロック図である。図1に示すように、電子装置は、無線ヘッドセット110及び外部充電装置(本実施例では、充電ボックス120を例として説明を行う)を含む。無線ヘッドセット110は、ピンN1、N2、マイクロプロセッサ112、電源管理ユニット114、充電回路116、電池117、無線通信ユニット118、及びコーデック119を含み、マイクロプロセッサ112は、ウェイクアップ回路152及びコア回路154を含み、電源管理ユニット114は、無停電回路162を含む。充電ボックス120は、ピンN1’、N2’、制御回路122、及び電池124を含む。
【０００９】
本実例では、無線ヘッドセット110は、充電ボックス120に接続されるときに、その内部の大部分の素子が無線ヘッドセット110充電完了後に休眠状態に入るようにさせ、電源管理ユニット114中の無停電回路114のみがウェイクアップ回路152に対して給電を行うようにさせることができる。また、使用者が無線ヘッドセット110を充電ボックス120から分離するときに、ウェイクアップ回路152は、自動的に、無線ヘッドセット110を休眠状態から操作モードに進入させることができるため、使用者に便利である。以下、無線ヘッドセット110及び充電ボックス120の操作について詳細に説明する。
【００１０】
図1及び図2を同時に参照する。時点t1のときに、無線ヘッドセット110が充電ボックス120に入れられる。このときに、無線ヘッドセット110のピンN1、N2は、それぞれ、充電ボックス120のピンN1’、N2’に接続され、充電ボックス120のピンN1’は、制御回路122が電池124に基づいて生成した充電電圧VDD(例えば、5V)を受け、ピンN2’は、接地（アース）電圧GNDに接続される。また、充電回路116は、このときに、ピンN1により、充電ボックス120からの充電電圧VDDを受け、電池117に対して充電を行うことができる。
【００１１】
続いて、時点t2のときに、電池117の電量がフルになる（即ち、満充電になる）。このときに、充電回路116は、電池117に対しての充電を停止する。それと同時に、コア回路154、電源管理ユニット114の他の回路、無線通信ユニット118、及びコーデック119は、無線ヘッドセット110充電完了後に休眠状態に入り、電源管理ユニット114中の無停電回路114のみにより、ウェイクアップ回路152に対してその操作を維持するために給電を行う。
【００１２】
時点t3のときに、使用者が充電ボックス120から無線ヘッドセット110を取り出し、即ち、無線ヘッドセット110のピンN1、N2が充電ボックス120のピンN1’、N2’から分離される。このときに、ウェイクアップ回路152は、ピンN1の電圧レベルが元の充電電圧VDDから、もう１つの電圧レベル、例えば、0V、接地電圧GND、又は、ある特定電圧よりも低い電圧値に下がったと検出することができ、これにより、ウェイクアップ回路152は、ウェイクアップ信号を生成し、直接又は間接的にコア回路154及びウェイクアップ電源管理ユニット114をウェイクアップすることで、マイクロプロセッサ112、無線通信ユニット118、及びコーデック119に必要な電圧を提供することができる。一実施例では、ウェイクアップ回路152は、論理回路であっても良く、また、ピンN1が低電圧レベル(例えば、0V、接地電圧GND、又は、ある特定電圧よりも低い電圧値)のときに、ウェイクアップ回路152が生成した出力は、直接、前記ウェイクアップ信号とし、コア回路154をトリガーしてウェイクアップすることができる。また、ウェイクアップ回路152は、前記ウェイクアップ信号又は他の論理回路により、電源管理ユニット114の他の回路をウェイクアップすることもできる。
【００１３】
無線ヘッドセット110が自動的にオンになった後に、無線ヘッドセット110は、内部の無線通信ユニット118により、電子装置、例えば、スマートフォン又はタブレットPCと通信を確立し、その後、無線通信ユニット118により、前記電子装置からの音声信号を受信し、そして、マイクロプロセッサ112及びコーデック119の処理後の再生により、使用者に聞かせることができる。
【００１４】
上述のように、使用者が無線ヘッドセット110を充電ボックス120から取り出すときに、手動で電源スイッチを押して無線ヘッドセット110をオンにする必要がなく、直接、無線ヘッドセット110を用いて前記電子装置から音声信号を受信することができるため、使用者の利便性を大幅に向上させることができる。また、無線ヘッドセット110が充電ボックス120から取り出されたときに自動的にオンにすることができるため、無線ヘッドセット110に電源スイッチを設ける必要がなく、製造及び設計上のコストを削減することもできる。
【００１５】
図3は、本発明の第二実施例における電子装置のブロック図である。図3に示すように、電子装置は、無線ヘッドセット310及び外部充電装置(本実施例では、充電ボックス320を例として説明を行う)を含む。無線ヘッドセット310は、ピンN1、N2、N3、マイクロプロセッサ312、電源管理ユニット314、充電回路316、電池317、無線通信ユニット318、及びコーデック319を含み、マイクロプロセッサ312は、ウェイクアップ回路352及びコア回路354を含み、電源管理ユニット314は、無停電回路362を含む。充電ボックス320は、ピンN1’、N2’、N3’、制御回路322、及び電池324を含む。本実施例では、ピンN1及びピンN1’は、汎用型入力／出力(General-purpose  input/output)ピンであり、ピンN1は、プルアップ回路Rにより高電圧レベル(例えば、図示されていVH)に接続され、ピンN1’は、参照電圧Vrefに接続される参照電圧ピンと見なすことができ、参照電圧Vrefは、低電圧レベル(例えば、接地電圧GND)である。
【００１６】
本実例では、無線ヘッドセット310は、充電ボックス320に接続されるときに、その内部の大部分の素子が無線ヘッドセット110充電完了後に休眠状態に入るようにさせ、電源管理ユニット314中の無停電回路314のみがウェイクアップ回路352に対して給電を行うようにさせることができる。また、使用者が無線ヘッドセット310を充電ボックス320から分離するときに、ウェイクアップ回路352は、自動的に、無線ヘッドセット310を休眠状態から操作モードに進入させることができるため、使用者に便利である。以下、無線ヘッドセット310及び充電ボックス320の操作を詳しく説明する。
【００１７】
図3及び図4を同時に参照する。時点t1のときに、無線ヘッドセット310が充電ボックス320に入れられる。このときに、無線ヘッドセット310のピンN1〜N3は、それぞれ、電ボックス320のピンN1’〜N3’に接続され、充電ボックス320のピンN2’は、充電電圧ピンであり、制御回路322が電池324に基づいて提供した充電電圧VDD(例えば、5V)を受け、ピンN3’は、接地電圧GNDに接続される。また、充電回路316は、このときに、ピンN2により、充電ボックス320から充電電圧VDDを受け、電池317に対して充電を行うことができる。
【００１８】
本実施例では、ピンN1’が受けた参照電圧Vrefが低電圧レベルであるので、無線ヘッドセット310のピンN1も低電圧レベルである。
【００１９】
続いて、時点t2のときに、電池317の電量がフルになる（即ち、満充電になる）。このときに、充電回路316は、電池317に対しての充電を停止する。充電回路316が電池317に対しての充電を停止しているため、充電回路316は、ピンN2から電流を取らず、制御回路322は、ピンN2’から電流の流れ出しがないと検出した後に、制御回路322中の、充電電圧VDDを5Vにプルアップする昇圧回路をオフにすることができ、即ち、制御回路322は、5Vの充電電圧VDDの、ピンN2’への提供を停止し、これにより、消費電力を節約することができる。また、このときに、コア回路354、電源管理ユニット314の他の回路、無線通信ユニット318、及びコーデック319は、無線ヘッドセット310充電完了後に休眠状態に入り、電源管理ユニット314中の無停電回路314のみにより、ウェイクアップ回路352に対してその操作を維持するために給電を行う。
【００２０】
時点t3のときに、使用者が充電ボックス320から無線ヘッドセット310を取り出し、即ち、無線ヘッドセット110のピンN1〜N3が充電ボックス320のピンN1’〜N3’から分離され、このときに、ウェイクアップ回路352により、ピンN1の電圧レベルが元の低電圧レベルから、もう１つの電圧レベル、例えば、電圧VHに近い電圧レベルに上がったと検出することができるので、ウェイクアップ回路352は、ウェイクアップ信号を生成し、直接又は間接的に、コア回路354及びウェイクアップ電源管理ユニット314をウェイクアップすることで、マイクロプロセッサ312、無線通信ユニット318、及びコーデック319に必要な電圧を提供することができる。一実施例では、ウェイクアップ回路352は、論理回路であっても良く、また、ピンN1が高電圧レベルのときに、ウェイクアップ回路352が生成した出力は、直接、前記ウェイクアップ信号とし、コア回路354をトリガーしてウェイクアップすることができる。また、ウェイクアップ回路352は、前記ウェイクアップ信号又は他の論理回路により、電源管理ユニット314の他の回路をウェイクアップすることもできる。
【００２１】
無線ヘッドセット310が自動的にオンになった後に、無線ヘッドセット310は、内部の無線通信ユニット318により、電子装置、例えば、スマートフォン又はタブレットPCと通信を確立し、その後、無線通信ユニット318により、前記電子装置からの音声信号を受信し、そして、マイクロプロセッサ312及びコーデック319の処理後の再生により、使用者に聞かせることができる。
【００２２】
上述のように、使用者が無線ヘッドセット310を充電ボックス320から取り出すときに、電源スイッチを押して無線ヘッドセット310をオンにする必要がなく、直接、無線ヘッドセット310を用いて前記電子装置から音声信号を受信することができるため、使用者の利便性を大幅に向上させることができる。無線ヘッドセット310が充電ボックス320から取り出されたときに自動的にオンにすることができるため、無線ヘッドセット310は、設計上、電源スイッチを設置する必要がないため、製造及び設計上のコストを削減することができる。また、無線ヘッドセット310充電完了後に充電ボックス320中の一部の回路をオフにさせることができるため、充電ボックス320の消費電力を節約することもできる。
【００２３】
なお、図3の実施例では、充電ボックス320のピンN1’に接続される参照電圧Vrefは、低電圧レベルであり、無線ヘッドセット310ピンN1は、プルアップ回路Rにより、高電圧レベルに接続され、且つピンN1が低電圧レベルから高電圧レベルに変わったときに、ウェイクアップ回路352は、コア回路354及び電源管理ユニット314をウェイクアップすることができるが、これは、例示に過ぎず、本発明を限定するものでない。他の実施例では、充電ボックス320のピンN1’に接続される参照電圧Vrefは、高電圧レベルであり、無線ヘッドセット310のピンN1は、プルダウン回路により、低電圧レベルに接続され、且つピンN1が高電圧レベルから低電圧レベルに変わったときに、ウェイクアップ回路352は、コア回路354及び電源管理ユニット314をトリガーしてウェイクアップしても良い。
【００２４】
以上、本発明の好ましい実施形態を説明したが、本発明はこのような実施形態に限定されず、本発明の趣旨を離脱しない限り、本発明に対するあらゆる変更は本発明の技術的範囲に属する。
【符号の説明】
【００２５】
110、310  無線ヘッドセット
112、312  マイクロプロセッサ
114、314  電源管理ユニット
116、316  充電回路
117、317  電池
118、318  無線通信ユニット
119、319  コーデック
120、320  充電ボックス
122、322  制御回路
124、324  電池
152、352  ウェイクアップ回路
154、354  コア回路
162、362  無停電回路
N1、N2、N3、N1’、N2’、N3’  ピン
GND  接地電圧
VDD  充電電圧
VH  電圧
Vref  参照電圧
R  プルアップ回路
【図１】
2020092397.tif 000003
【図２】
2020092397.tif 000004
【図３】
2020092397.tif 000005
【図４】
2020092397.tif 000006